(57)【要約】      （修正有）【課題】ネズミを忌避する超音波及び光線を多段式で３６０度全方向へ出力し、ネズミが適応してしまうことを防ぎ、全面的かつ無死角でネズミに対して忌避効果を得るネズミ忌避装置を提供する。【解決手段】ネズミ忌避装置は、ハウジング１と、制御ユニット２と、複数の第１の音響光学出力ユニット３と、複数の第２の音響光学出力ユニット４と、操作ユニットとを備える。ハウジングは、円柱状を呈し、制御ユニットは、ハウジング中に配設される。第１の音響光学出力ユニット３は、ハウジングの円環面に設けられ、制御ユニットと電気的に接続され、第１、第２の超音波固定周波数スピーカー３１、３２と、複数の第１の発光体３３とを有する。第２の音響光学出力ユニット４は、ハウジングの円環面に設けられ、制御ユニット２と電気的に接続され、センサー４１と、超音波変調スピーカー４２と、複数の第２の発光体４３とを有する。【選択図】図１
0003208251.tif 000002
【実用新案登録請求の範囲】
【請求項１】
ハウジングと、制御ユニットと、複数の第１の音響光学出力ユニットと、複数の第２の音響光学出力ユニットと、操作ユニットとを備えたネズミ忌避装置であって、
前記ハウジングは、円柱状を呈し、
前記制御ユニットは、前記ハウジング中に配設され、
前記第１の音響光学出力ユニットは、前記ハウジングの円環面に設けられるとともに、前記制御ユニットと電気的に接続され、前記第１の音響光学出力ユニットは、第１の超音波固定周波数スピーカーと、第２の超音波固定周波数スピーカーと、複数の第１の発光体とを有し、
前記第２の音響光学出力ユニットは、前記ハウジングの円環面に設けられるとともに、前記制御ユニットと電気的に接続され、かつ、前記第２の音響光学出力ユニットは、前記第１の音響光学出力ユニットに隣接した一側にそれぞれ設けられるとともに、センサーと、超音波変調スピーカーと、複数の第２の発光体とを有し、
前記操作ユニットは、前記ハウジングに設けられるとともに、前記制御ユニットと電気的に接続されることを特徴とするネズミ忌避装置。
【請求項２】
前記ハウジングは、前記制御ユニットと電気的に接続されるとともに、前記操作ユニットと電気的に接続された複数の指示ランプを有することを特徴とする請求項１に記載のネズミ忌避装置。
【請求項３】
前記制御ユニットは、前記ハウジングに形成された電源挿入孔に接続されることを特徴とする請求項１に記載のネズミ忌避装置。
【請求項４】
前記第１の音響光学出力ユニットの前記第１の発光体は、循環方式で発光することを特徴とする請求項１に記載のネズミ忌避装置。
【請求項５】
前記センサーは、赤外線センサーであることを特徴とする請求項１に記載のネズミ忌避装置。
【請求項６】
前記操作ユニットは、前記第１の超音波固定周波数スピーカー、前記第２の超音波固定周波数スピーカー及び前記超音波変調スピーカーと電気的に接続された第１のスイッチを有することを特徴とする請求項１に記載のネズミ忌避装置。
【請求項７】
前記第１のスイッチは、前記第１の超音波固定周波数スピーカー及び前記第２の超音波固定周波数スピーカーを駆動するか、前記第１の超音波固定周波数スピーカー、前記第２の超音波固定周波数スピーカー及び前記超音波変調スピーカーを駆動する多段式スイッチであることを特徴とする請求項６に記載のネズミ忌避装置。
【請求項８】
前記操作ユニットは、前記センサー及び前記第２の発光体と電気的に接続された第２のスイッチを有することを特徴とする請求項１に記載のネズミ忌避装置。
【請求項９】
前記第２のスイッチは、前記センサー及び前記第２の発光体を駆動して循環方式で発光させるか、前記センサー及び前記第２の発光体を駆動してランダム方式で発光させる多段式スイッチであることを特徴とする請求項８に記載のネズミ忌避装置。
【請求項１０】
前記操作ユニットは、前記第１の発光体と電気的に接続された第３のスイッチを有することを特徴とする請求項１に記載のネズミ忌避装置。
【請求項１１】
前記第３のスイッチは、前記第１の発光体を駆動して循環方式で発光させることを特徴とする請求項１０に記載のネズミ忌避装置。
【考案の詳細な説明】
【技術分野】
【０００１】
本考案は、ネズミ忌避装置に関し、特に、ネズミを忌避する超音波及び光線を多段式で３６０度全方向へ出力し、ネズミが適応してしまうことを防ぎ、全面的かつ無死角でネズミに対して忌避効果を得るネズミ忌避装置に関する。
【背景技術】
【０００２】
一般のネズミ忌避装置は、平面状に形成され、発光源出力ユニット又は超音波出力ユニットがハウジングの平面上に設置され、ネズミに対して忌避効果を得る光線又は超音波を正面から発信する方式と、内凹状に形成され、発光源出力ユニット又は超音波出力ユニットがベースボディの左右両側に設置され、ネズミを忌避する光線又は超音波を左右両側から発信する方式との２種類を含む。
【０００３】
上述した２種類のネズミ忌避装置は、ネズミを忌避する超音波を発信するが、平面状又は内凹状の方式であっても、正面又は左右の一方向で超音波を発信することができるが、３６０度全方向へ発信することができなかったため、超音波出力ユニットが発信する超音波の死角を無くすことができず、ネズミ忌避効果は理想的でなかった。
【０００４】
また、従来のネズミ忌避装置は、超音波の周波数を発信する際、固定された一定の周波数を発信する方式か周波数を変えて発信する方式かのどちらか一方しか選択できず、使用初期段階ではネズミ忌避効果があったとしても、少なくとも６か月経つとネズミが超音波の周波数に適応して怖がらなくなり、ネズミ忌避装置はあって無いようなものとなる虞があった。
【０００５】
そのため、上述したような従来の欠点を改善することができるネズミ忌避装置が求められていた。
【考案の概要】
【考案が解決しようとする課題】
【０００６】
本考案の主な目的は、ハウジングの円環面に設けられた第１の音響光学出力ユニットと第２の音響光学出力ユニットとを組み合わせて使用し、ネズミを忌避する超音波及び光線を多段式で３６０度全方向へ出力し、ネズミが適応してしまうことを防ぎ、全面的かつ無死角でネズミに対して忌避効果を得るネズミ忌避装置を提供することにある。
【課題を解決するための手段】
【０００７】
上記課題を解決するために、本考案の第１の形態によれば、ハウジングと、制御ユニットと、複数の第１の音響光学出力ユニットと、複数の第２の音響光学出力ユニットと、操作ユニットとを備えたネズミ忌避装置であって、前記ハウジングは、円柱状を呈し、前記制御ユニットは、前記ハウジング中に配設され、前記第１の音響光学出力ユニットは、前記ハウジングの円環面に設けられるとともに、前記制御ユニットと電気的に接続され、前記第１の音響光学出力ユニットは、第１の超音波固定周波数スピーカーと、第２の超音波固定周波数スピーカーと、複数の第１の発光体とを有し、前記第２の音響光学出力ユニットは、前記ハウジングの円環面に設けられるとともに、前記制御ユニットと電気的に接続され、かつ、前記第２の音響光学出力ユニットは、前記第１の音響光学出力ユニットに隣接した一側にそれぞれ設けられるとともに、センサーと、超音波変調スピーカーと、複数の第２の発光体とを有し、前記操作ユニットは、前記ハウジングに設けられるとともに、前記制御ユニットと電気的に接続されることを特徴とするネズミ忌避装置が提供される。
【０００８】
前記ハウジングは、前記制御ユニットと電気的に接続されるとともに、前記操作ユニットと電気的に接続された複数の指示ランプを有することが好ましい。
【０００９】
前記制御ユニットは、前記ハウジングに形成された電源挿入孔に接続されることが好ましい。
【００１０】
前記第１の音響光学出力ユニットの前記第１の発光体は、循環方式で発光することが好ましい。
【００１１】
前記センサーは、赤外線センサーであることが好ましい。
【００１２】
前記操作ユニットは、第１の超音波固定周波数スピーカー、第２の超音波固定周波数スピーカー及び超音波変調スピーカーと電気的に接続された第１のスイッチを有することが好ましい。
【００１３】
前記第１のスイッチは、前記第１の超音波固定周波数スピーカー及び前記第２の超音波固定周波数スピーカーを駆動するか、前記第１の超音波固定周波数スピーカー、前記第２の超音波固定周波数スピーカー及び前記超音波変調スピーカーを駆動する多段式スイッチであることが好ましい。
【００１４】
前記操作ユニットは、前記センサー及び前記第２の発光体と電気的に接続された第２のスイッチを有することが好ましい。
【００１５】
前記第２のスイッチは、前記センサー及び前記第２の発光体を駆動して循環方式で発光させるか、前記センサー及び前記第２の発光体を駆動してランダム方式で発光させる多段式スイッチであることが好ましい。
【００１６】
前記操作ユニットは、前記第１の発光体と電気的に接続された第３のスイッチを有することが好ましい。
【００１７】
前記第３のスイッチは、前記第１の発光体を駆動して循環方式で発光させることが好ましい。
【考案の効果】
【００１８】
本考案のネズミ忌避装置は、ハウジングの円環面に設けられた第１の音響光学出力ユニット及び第２の音響光学出力ユニットから、ネズミを忌避する超音波及び光線を多段式で３６０度全方向へ出力し、ネズミが適応してしまうことを防ぎ、全面的かつ無死角でネズミに対して忌避効果を得る。
【図面の簡単な説明】
【００１９】
【図１】図１は、本考案の一実施形態に係るネズミ忌避装置を示す斜視図である。
【図２】図２は、本考案の一実施形態に係るネズミ忌避装置を示す底面斜視図である。
【図３】図３は、本考案の一実施形態に係るネズミ忌避装置を示す正面図である。
【図４】図４は、本考案の一実施形態に係るネズミ忌避装置を示す背面図である。
【考案を実施するための形態】
【００２０】
以下、本考案を実施形態に基づいて、より具体的に説明する。但し、本考案はこれらの実施例に何ら限定されるものではない。
【００２１】
図１〜図４を参照する。図１は、本考案の一実施形態に係るネズミ忌避装置を示す斜視図である。図２は、本考案の一実施形態に係るネズミ忌避装置を示す底面斜視図である。図３は、本考案の一実施形態に係るネズミ忌避装置を示す正面図である。図４は、本考案の一実施形態に係るネズミ忌避装置を示す背面図である。図１〜図４に示すように、本考案の一実施形態に係るネズミ忌避装置は、少なくともハウジング１と、制御ユニット２と、複数の第１の音響光学出力ユニット３と、複数の第２の音響光学出力ユニット４と、操作ユニット５とから構成されてなる。
【００２２】
上述のハウジング１は、円柱状を呈する。ハウジング１の頂面には、複数の指示ランプ１１が設けられる。指示ランプ１１は、制御ユニット２と電気的に接続されている。指示ランプ１１は、操作ユニット５と電気的に接続されている。
【００２３】
制御ユニット２は、ハウジング１中に設けられた処理回路でもよい。制御ユニット２は、電源挿入孔２１に接続されてもよい。電源挿入孔２１は、ハウジング１底部に形成されるとともに、電源線（図示せず）を介して商用電源と電気的に接続されている。
【００２４】
各第１の音響光学出力ユニット３は、ハウジング１の円環面に設けられるとともに、制御ユニット２と電気的に接続されている。各第１の音響光学出力ユニット３は、第１の超音波固定周波数スピーカー３１と、第２の超音波固定周波数スピーカー３２と、複数の第１の発光体３３とを含む。
【００２５】
各第２の音響光学出力ユニット４は、ハウジング１の円環面に設けられるとともに、制御ユニット２と電気的に接続されている。各第２の音響光学出力ユニット４は、第１の音響光学出力ユニット３に隣接した一側にそれぞれ設けられ、第１の音響光学出力ユニット３及び第２の音響光学出力ユニット４は、ハウジング１の円環面に設けられる。各第２の音響光学出力ユニット４は、センサー４１と、超音波変調スピーカー４２と、複数の第２の発光体４３とを含む。センサー４１は赤外線センサーである。
【００２６】
操作ユニット５は、ハウジング１の底面に設けられるとともに、制御ユニット２と電気的に接続されている。操作ユニット５は、第１のスイッチ５１、第２のスイッチ５２及び第３のスイッチ５３を有する。第１のスイッチ５１は、第１の超音波固定周波数スピーカー３１、第２の超音波固定周波数スピーカー３２及び超音波変調スピーカー４２と電気的に接続されている。第２のスイッチ５２は、センサー４１及び第２の発光体４３と電気的に接続されている。第３のスイッチ５３は、第１の発光体３３と電気的に接続されている。第１のスイッチ５１及び第２のスイッチ５２は、多段式スイッチでもよい。第１のスイッチ５１及び第２のスイッチ５２は、本実施形態では２段式スイッチであるが、他の実施形態では必要に応じて３段式以上のスイッチにし、第３のスイッチ５３を単段式スイッチにしてもよい。
【００２７】
本実施形態を実際に使用する際、電源挿入孔２１に電源線（図示せず）を挿入し、電源線を介して外部電源（例えば、商用電源）を制御ユニット２へ供給し、各第１の音響光学出力ユニット３、各第２の音響光学出力ユニット４、第１のスイッチ５１、第２のスイッチ５２及び第３のスイッチ５３は、駆動する際に使用され、制御ユニット２により各第１の音響光学出力ユニット３、各第２の音響光学出力ユニット４、第１のスイッチ５１、第２のスイッチ５２及び第３のスイッチ５３の各操作を設定するときの処理センターとして用い、指示ランプ１１のランプにより現在の使用状態をユーザに知らせる。以下、実際の操作について説明する。
【００２８】
第１のスイッチ５１が第１段の起動位置に合されると、制御ユニット２により制御し、各第１の音響光学出力ユニット３、各第１の超音波固定周波数スピーカー３１及び各第２の超音波固定周波数スピーカー３２から超音波が発信される。例えば、各第１の超音波固定周波数スピーカー３１は固定方式で２５ＫＨｚの超音波を発信し、第２の超音波固定周波数スピーカー３２は１６．５ＫＨｚ、３３ＫＨｚ及び４０ＫＨｚの超音波をそれぞれ出力する。
【００２９】
第１のスイッチ５１が第２段の起動位置に合されると、制御ユニット２により制御し、各第１の音響光学出力ユニット３及び各第２の音響光学出力ユニット４の超音波変調スピーカー４２を駆動し、各第１の超音波固定周波数スピーカー３１、各第２の超音波固定周波数スピーカー３２及び各超音波変調スピーカー４２から超音波が発信される。例えば、各第１の超音波固定周波数スピーカー３１は固定方式で２５ＫＨｚの超音波を出力し、第２の超音波固定周波数スピーカー３２は１６．５ＫＨｚ、３３ＫＨｚ及び４０ＫＨｚの超音波をそれぞれ出力し、超音波変調スピーカー４２は変調方式で２４ＫＨｚ〜４０ＫＨｚの超音波を出力する。
【００３０】
第２のスイッチ５２が第１段の起動位置に合されると、制御ユニット２により各第２の音響光学出力ユニット４のセンサー４１が駆動され、ネズミがセンサー４１に近づいたことを感知したときに、制御ユニット２へ信号を発信し、制御ユニット２により各第２の発光体４３を循環方式（例えば、右から左方向へかけて光るか左から右方向へかけて光る電光掲示方式）でネズミ忌避の光線を発する。
【００３１】
第２のスイッチ５２が第２段の起動位置に合されると、制御ユニット２により各第２の音響光学出力ユニット４のセンサー４１が駆動され、ネズミがセンサー４１に近づいたことを感知したときに、制御ユニット２へ信号を発信し、制御ユニット２により各第２の発光体４３をランダム方式でネズミ忌避の光線を発する。
【００３２】
第３のスイッチ５３をオンすると、制御ユニット２により制御され、各第１の音響光学出力ユニット３の第１の発光体３３から循環方式で赤、緑、青の３種類の色が１時間毎に発光し、ネズミ忌避の光線を発する。
【００３３】
上述したことから分かるように、ハウジング１の円環面の周りには、第１の音響光学出力ユニット３と第２の音響光学出力ユニット４とが交互に配置され、多段変調方式で３６０度全方向へネズミ忌避の光線を発するため、ネズミが適応してしまうことを防ぎ、全面的かつ無死角のネズミ忌避効果を得る。
【符号の説明】
【００３４】
１      ハウジング
２      制御ユニット
３      第１の音響光学出力ユニット
４      第２の音響光学出力ユニット
５      操作ユニット
１１      指示ランプ
２１      電源挿入孔
３１      第１の超音波固定周波数スピーカー
３２      第２の超音波固定周波数スピーカー
３３      第１の発光体
４１      センサー
４２      超音波変調スピーカー
４３      第２の発光体
５１      第１のスイッチ
５２      第２のスイッチ
５３      第３のスイッチ
【図１】
0003208251.tif 000003
【図２】
0003208251.tif 000004
【図３】
0003208251.tif 000005
【図４】
0003208251.tif 000006